(57)【特許請求の範囲】
【請求項１】
割り当てられた常時開コンタクト（５３、５４）を有する、２つの可動コンタクトばね（２、３）を備える電磁リレー（２３）であって、
前記可動コンタクトばね（２、３）は同一の設計であり、かつ、互いに隣接して配置されており、
前記可動コンタクトばね（２、３）が、第１電気端子（４、５）に導電可能に接続され、
前記常時開コンタクト（５３、５４）が、さらなる電気端子（５６、５７）に導電可能に接続され、
可動式に取り付けられた作動要素（３３）により、前記常時開コンタクト（５３、５４）と接触する前記リレー（２３）を通って流れる電流に応じて前記可動コンタクトばね（２、３）を動かし、
前記コンタクトばね（２、３）それぞれが、互いに空間的に分離された２つの当接面（１２、１５）を備え、かつ、
前記作動要素（３３）が、前記コンタクトばね（２、３）を動かすために前記コンタクトばね（２、３）それぞれにおける前記２つの当接面（１２、１５）に接触して着座するように設けられた２つの作動面（４１、４３）を備えるとともに、
前記コンタクトばね（２、３）がさらなる当接面（２２）を備え、
前記作動要素（３３）の第３作動面（４５）が、前記さらなる当接面（２２）に割り当てられ、
前記作動要素（３３）が、前記第３作動面（４５）が前記さらなる当接面（２２）に接触して着座する結果として、前記コンタクトばね（２、３）を前記常時開コンタクト（５３、５４）から引き離すことを特徴とする電磁リレー（２３）。
【請求項２】
前記リレー（２３）へと流れる電流が中断されると、前記リレー（２３）のアーマチュアは、当該アーマチュアのプリテンションによって休止位置に戻り、前記アーマチュアはさらに前記作動要素（３３）を前記休止位置へと引き戻し、それによって、前記第３作動面（４５）が前記コンタクトばね（２、３）の前記さらなる当接面（２２）に係合し、
プリテンションによって前記コンタクトばね（２、３）のうち第２のコンタクトばね（３）は休止位置へとばねにより戻り、前記コンタクトばね（２、３）のうち第１のコンタクトばね（２）は前記常時開コンタクト（５３）と結合し、それによって、前記第２のコンタクトばね（３）は、当該第２のコンタクトばね（３）の前記当接面（１２、１５）が前記作動要素（３３）の前記作動面（４１、４３）に接触して着座することにより、
前記アーマチュアに加えて前記作動要素（３３）を休止位置の方向にさらに動かし、結合した前記第１のコンタクトばね（２）を前記常時開コンタクト（５４）から分離するための分離力を高める、請求項１に記載の電磁リレー。
【請求項３】
前記２つの当接面（１２、１５）が、前記コンタクトばね（２、３）のコンタクト領域（９）に関して前記コンタクトばね（２、３）の両側に配置される、請求項１または２に記載の電磁リレー。
【請求項４】
前記２つの当接面（１２、１５）が、前記コンタクトばね（２、３）のコンタクト領域（９）の領域内に同一の高さで配置される、請求項１から３のいずれか一項に記載の電磁リレー。
【請求項５】
前記当接面（１２、１５）がそれぞれ、前記可動コンタクトばね（２、３）の基部（６）に連結されたばねアーム（１１、１４）上に設けられる、請求項１から４のいずれか一項に記載の電磁リレー。
【請求項６】
前記ばねアーム（１１、１４）が、前記コンタクトばね（２、３）のコンタクト領域（９）の下方の領域から、前記基部（６）から横方向外側に延び、前記コンタクト領域（９）の前記下方の領域内へと上向きに達し、好ましくは前記コンタクト領域（９）から横方向に等しく離間して、前記コンタクト領域（９）の側方に配置され、かつ好ましくは前記作動要素（３３）のための前記当接面（１２、１５）と同じ高さで終端する、請求項５に記載の電磁リレー。
【請求項７】
第３ばねアーム（１７）が、前記コンタクトばね（２、３）上に設けられ、
前記第３ばねアームが、前記作動要素（３３）の上方に配置され、上向き方向における前記作動要素（３３）の動作を制限する、請求項１から６のいずれか一項に記載の電磁リレー。
【請求項８】
前記さらなる当接面（２２）が、前記コンタクトばね（２、３）のコンタクト領域（９）の高さで、好ましくは前記コンタクト領域（９）上の第２ばねアーム（１４）と同じ側に設けられる、請求項１から７のいずれか一項に記載の電磁リレー。
【請求項９】
前記作動要素（３３）が２つの作動アーム（３９、４２）を備え、
前記２つの作動アーム（３９、４２）が、前記当接面（１２、１５）に割り当てられた作動面（４１、４３）を備える、請求項１から８のいずれか一項に記載の電磁リレー。
【請求項１０】
前記作動要素（３３）が備える第１作動アーム（３９）が、第１ばねアーム（１１）と前記第３ばねアーム（１７）との間に延びる、請求項７に記載の電磁リレー。
【請求項１１】
前記リレー（２３）がハウジングカバーで覆われ、
前記ハウジングカバーが壁部（５０）を備え、
前記壁部（５０）が、前記２つの可動コンタクトばね（２、３）の間を通り、前記２つのコンタクトばね（２、３）の間の電気絶縁壁部となる、請求項１から１０のいずれか一項に記載の電磁リレー。
【請求項１２】
前記作動要素（３３）および／またはハウジング基部（１、２６、２７）が、凹部（４６、４７、４８）を備え、
前記凹部（４６、４７、４８）が、前記２つのコンタクトばね（２、３）の間に配置され、
前記ハウジングカバーの前記壁部（５０）が、前記凹部（４６、４７、４８）内へと突出する、請求項１１に記載の電磁リレー。
【発明の詳細な説明】
【技術分野】
【０００１】
本発明は、電磁リレー（継電器）に関する。
【背景技術】
【０００２】
電磁リレーは、たとえば特許文献１などから知られている。特許文献１には、リレーを通って流れる電流に応じてアーマチュアが２つの異なる位置をとることができる、電磁リレーが記載されている。アーマチュアは、キャリアによって可動コンタクトに接続される。可動コンタクトは、ばねによってリレー上に可動式に取り付けられる。可動コンタクトは、アーマチュアの位置に応じて常時開コンタクト（normally-open contact）に向かって進み、または常時開コンタクトから離して引っ張られる。
【先行技術文献】
【特許文献】
【０００３】
【特許文献１】ドイツ特許公開公報１０２００７０２４１２８Ａ１
【発明の概要】
【発明が解決しようとする課題】
【０００４】
本発明の目的は、改善されたリレーを達成することである。より詳細には、改善されたコンタクトばね、およびコンタクトばねの作動を改善することによって、機能性をもたらすことを目的とする。
【課題を解決するための手段】
【０００５】
本発明の目的は、請求項１に記載のリレーによって達成される。本発明によるリレーの１つの利点は、可動コンタクトのばねを左右対称に作動させることができることである。その結果、一方ではコンタクトばねへの負荷が低減され、他方では可動コンタクトの動作改善が達成される。可動コンタクトの動作を改善するために、コンタクトばねは、２つのばねアームを備え、それらによって作動要素（actuating element）が同時に係合する。コンタクトばねは、さらなる当接面を備える。コンタクトばねの当該当接面は、作動要素の作動面に割り当てられる。作動面がコンタクトばねの当接面に接触して着座するときに、コンタクトばねを割り当てられた常時開コンタクトから引き離すことができる。その結果、可動コンタクトばねは、特にコンタクトばねを常時開コンタクトと結合させた後に、常時開コンタクトから再び分離させることができる。
【０００６】
本発明の発展形態を、従属請求項において開示する。
リレーの１つの発展形態では、２つの当接面が、可動コンタクトばねのコンタクトに対して可動コンタクトばねの両側に配置される。このようにして、コンタクト領域におけるコンタクトばねの均一な動作が達成される。
【０００７】
さらなる実施形態では、２つの当接面が、可動コンタクトばねのコンタクトの領域内で同じ高さに配置される。当接面の高さが同じであるため、コンタクトばねの両側に、等しい大きさの曲げモーメントが加えられる。その結果、コンタクトばねの作動がより均一に行われる。
【０００８】
さらなる実施形態では、当接面は、可動コンタクトばねの基部から横方向外側に延びる２つのばねアーム上に設けられる。ばねアームの設計によって、まず、当接面を設けるため、および作動要素を着座させるための、十分な空間が利用可能になる。さらに、基部上の当接面の位置とは無関係に、動作を開始することができる。こうして、単純な設計の作動要素が可能になり、さらに、可動コンタクトばね内への原動力の好ましい始動が保証される。さらに、ばねアームによって、作動要素の作動を緩衝することができる。ばねアームは、たとえば薄い金属帯などの形をとり、作動要素とコンタクトばねの基部との間で、同様にばね作用機能をもつ。
【０００９】
さらなる実施形態では、ばねアームは、コンタクト下方でコンタクトばねの基部から横方向外側に延びる。ばねアームは、当接面をコンタクト領域内へと正確に到達させ、当接面はそこで可動コンタクトばねのコンタクト側方に、好ましくはコンタクトから横方向に等しく離れて、好ましくは同じ高さで配置される。このようにして、作動要素とコンタクトばねのコンタクトとの間の力の伝達を改善することが可能になる。
【００１０】
さらなる実施形態では、第３ばねアームが基部上に設けられる。第３ばねアームは、第１ばねアームの反対側で終端し、第１ばねアームの上方に配置され、作動要素のための上向き方向の制限要素または誘導要素として働く。このようにして、コンタクトばねの領域内で作動要素が上向きにどのように持ち上がることも制限される。こうして、作動要素の動作の改善、具体的には、作動要素の誘導を改善することが可能になる。
【００１２】
さらなる実施形態では、さらなる当接面が、コンタクト上の第２ばねアームと同じ側に設けられる。このようにして、小型でスペースをとらない幾何学形状のコンタクトばねが可能になる。さらに、作動要素は、単純な構造の作動アームを用いて、第２ばねアームだけでなくさらなる当接面も作動させることができる。
【００１３】
さらなる実施形態では、ハウジングは、ハウジングカバーを備える。このハウジングカバーは、壁部を備え、壁部は、２つの可動コンタクトばねの間を通り、２つのコンタクトばねの間の電気絶縁壁部となる。このようにして、２つのコンタクトばねの間で電圧フラッシュ・オーバーを生じることなく、２つのコンタクトばねの間の距離を短くすることができる。
【００１４】
さらなる実施形態では、作動要素および／またはハウジングは、凹部を備え、ハウジングカバーの壁部がその中へと突出する。このようにして、絶縁壁部が大きな表面積を有することが可能になる。さらに、凹部によって、絶縁壁部の位置を精密に画定することができる。
【００１５】
以下、図面を参照しながら、本発明をより完全に説明する。
【図面の簡単な説明】
【００１６】
【図１】２つの可動コンタクトばねを備える電磁リレーを示す部分概略図である。
【図２】２つの可動コンタクトばねを示す斜視図である。
【図３】図１の電磁リレーを作動要素とともに示す図である。
【図４】図３の電磁リレーを可動コンタクトばね間に位置する絶縁中間壁部とともに示す、さらなる部分斜視図である。
【図５】常時閉コンタクトばねおよび常時開コンタクトばねを備える、電気リレーを示す部分斜視図である。
【図６】図５の電磁リレーを示す、さらなる部分斜視図である。
【発明を実施するための形態】
【００１７】
図１は、リレー２３の構成要素を、電磁コイル２４が載置されたハウジング基部１とともに示す部分斜視図である。ハウジング基部１に可動式に締結された第１可動コンタクトばね２および第２可動コンタクトばね３が、電磁コイル２４の前に設けられる。可動コンタクトばね２、３は、ハウジング基部１の下面から突出する別々の電気端子４、５に電気的に接続される。電磁コイル２４の上方には、図示されない作動要素のための支持表面２５がある。２つのコンタクトばね２、３は、鏡面対称かつ互いに平行となるように配置される。ハウジング基部１は、図１では２つのコンタクトばね２、３の前に配置された、前方壁部２６を備える。前方壁部２６は、ハウジング基部１の幅全体にわたり、コンタクトばね２、３の高さの半分まで延びる。ハウジング基部１は、電磁コイル２４の２つのコンタクトばね２、３の間に配置された、後方壁部２７をさらに備える。後方壁部２７は、ハウジング基部１の幅全体にわたって横方向に、コンタクトばね２、３の高さの半分まで延びる。前方壁部２６と後方壁部２７との間の間隙は、第１コンタクトばね２および第２コンタクトばね３が休止位置から動作位置へと枢動させられるのに十分な大きさに計算される。
【００１８】
図２は、第１コンタクトばね２および第２コンタクトばね３を示す。これらは、図示の実施形態の例では同一の設計であるが、中心面２８に対して鏡面対称である。なお、選択される実施形態によっては、２つのコンタクトばね２、３は、互いに異なる設計とすることもできる。もしくは、リレー２３は、１つの単一可動コンタクトばねを備えることもできる。
第１コンタクトばね１の例を参照しながら、第１および第２コンタクトばねの形状を説明する。第１コンタクトばね１は、基部６を備える。基部６は、下方締結領域７から中央領域８を経てコンタクト領域９へと細長い帯の形で延びる。コンタクト領域９には、コンクタトリベット１０が締結される。締結領域７内には、２つの孔２９が設けられる。孔２９は、第１コンタクトばね２をハウジング基部１に締結するために使用される。基部６は、締結領域７から、中心面２８に対して３０°の角度で左へと、中央領域８の下部まで延びる。基部６は、中央領域８から、中心面２８と平行にまっすぐ上方に、コンタクト領域９まで延びる。選択される実施形態によっては、基部６は、締結領域７からコンタクト領域９まで、連続する直線的な帯の形をとることもできる。
【００１９】
中央領域８に、さらなる孔３０が挿入され、基部６のばね作用特性を高める。さらに、第１ばねアーム１１および第２ばねアーム１４はそれぞれ、中央領域８の両側で中央領域８から横方向外向きに延びる。第１ばねアーム１１および第２ばねアーム１４は、コンタクト領域９の方向に上方に延び、基部の中央領域８の上方部分とほぼ平行に並ぶ。図示の実施形態の例では、コンタクト領域９は、コンクタトリベット１０のために十分大きい表面を提供するために、中央領域８と比べて幅が広い。
【００２０】
第１ばねアーム１１および第２ばねアーム１４は、中央領域８に対して横方向に、コンタクト領域９の高さまで延びる。図示の実施形態では、第１ばねアーム１１および第２ばねアーム１４は、コンクタトリベット１０の中心よりわずかに下方で終端する。選択される実施形態によっては、第１ばねアーム１１および第２ばねアーム１４は、コンクタトリベット１０の中心を超えて上方に延びることもできる。さらに、別の実施形態では、第１および第２のばねアームをより短く設計し、コンタクト領域９より下で終端させることもできる。第１ばねアーム１１および第２ばねアーム１４は、コンタクト領域９の中心軸３１に対して等しいサイズの横方向への分岐である。さらに、図示の実施形態では、第１ばねアーム１１および第２ばねアーム１４はそれぞれ、第１屈曲領域１３および第２屈曲領域１６内で終端する。第１屈曲領域１３および第２屈曲領域１６は、図面の平面より前方へと９０°屈曲する形となる。第１屈曲領域１３および第２屈曲領域１６はそれぞれ背面上に、第１当接面１２および第２当接面１５を備える。なお、選択される実施形態によっては、第１屈曲領域１３および第２屈曲領域１６は、省略してもよい。
【００２１】
さらに、ばねアーム１１、１４は、選択される実施形態によっては基部６からさらに下方へ、すなわち締結領域７のより近くに延びることもでき、あるいは、基部６からさらに上方へ、すなわちコンタクト領域９のより近くに延びることもできる。単純な一実施形態では、第１ばねアーム１１および第２ばねアーム１４は、適当な第１当接面１２および第２当接面１５を有する、コンタクト領域９から横方向に出るラグ（lug、突起）の形をとることができる。ばねアームの長さおよびばねアーム１１、１４の幾何学形状は、可動コンタクトばね２、３の切替挙動に影響を及ぼし、所望の切替特徴に従って選択される。
【００２２】
第１コンタクトばね２上にはさらに、第３ばねアーム１７が設けられる。第３ばねアーム１７は、第１ばねアーム１１上方で基部６のコンタクト領域９から外側へと延びる。第３ばねアーム１７は、コンタクト領域９から横方向外向きに延び、さらなる部分３２内で、第１コンタクトばね２の縦寸法と平行に、かつ第１ばねアーム１１の方向に延びる。さらなる部分３２は、第３屈曲領域１９とともに、第１ばねアーム１１から規定の距離にて終端する。第３屈曲領域１９は、図面の平面から前方に出て９０°屈曲する形をとる。さらに、第３当接面１８が、第３屈曲領域１９の下面上に設けられ、選択される実施形態によっては、第３ばねアーム１７は、異なる形をとることもできる。第３ばねアーム１７と第１ばねアーム１１との間に、受容空間２０が形成される。
【００２３】
コンタクト領域９はまた、第３ばねアーム１７の反対側に配置され横方向に突出する、ラグ２１も備え、ラグ２１は、前面上に、第４当接面２２を備える。ラグ２１は、第２ばねアーム１４の上方で、コンタクト領域９から外側へと延びる。なお、図２に示す実施形態の代わりに、ラグ２１は、より長くまたはより短く設計することもできる。特に、別個のラグ２１を設けずに、第４当接面２２をコンタクト領域９上に直接設けることもできる。
【００２４】
第２コンタクトばね３は、中心面２８に対して、第１コンタクトばね２と鏡面対称である。第１コンタクトばね２および第２コンタクトばね３は、たとえばスタンピングにより１枚の板から一体に形成される、可撓性を有する板金の帯（sheet-metal strip）で構成される。
【００２５】
図３は、図１の構成を示すが、作動要素３３が支持表面２５上にさらに配置されている。作動要素３３は、実質的に構造化パネルの形をとり、リレー２３のアーマチュア（図示せず）を作動要素３３と動作接続させる後方領域３４を備える。作動要素３３は、リレー２３を通って流れる電流に応じて、矢印３５により示される方向で前後に動かされる。作動要素３３は、前方部分３６内に、第１コンタクトばねを動かすための第１作動手段３７、および第２コンタクトばね３を動かすための第２作動手段３８を備える。第１作動手段３７および第２作動手段３８は、リレー２３の中心にありリレーの縦方向に延びる中心面２８に対して、鏡面対称の形をとる。なお、第１作動手段３７については、以下でより十分に説明する。第１作動手段３７は、第１作動アーム３９を備える。第１作動アーム３９は、作動要素３３のパネル形基部から前方へと、コンタクトばね２の方向に突出する。作動アーム３９の前端部領域内に、鼻部４０が設けられ、鼻部４０は、第１ばねアーム１１と第３ばねアーム１７との間の受容空間２０内へと正確に延びる。鼻部４０の下方で、作動アーム３９は、前面上に第１作動面４１を備える。第１作動面４１は、第１ばねアームの第１当接面１２に対面し、すなわち、作動要素３３の図示の休止位置で第１当接面１２とほぼ平行に配置される。第１作動手段３７は、第２作動アーム４２をさらに備え、第２作動アーム４２は同様に、作動要素３３のパネル形基部から前方へと、第１コンタクトばね２の方向に延びる。第２作動アーム４２は、第１作動アーム３９とほぼ平行に配置され、第２ばねアーム１４の第２屈曲領域１６の領域内へと延びる。第２作動アーム４２は、前面上に第２作動面４３を備える。第２の作動面４３は、第２ばねアーム１４の第２当接面１５と向かい合って配置され、すなわち第２当接面１５とほぼ平行に配置される。第２作動アーム４２は、フック部４４をさらに備え、フック部４４は、第２ばねアーム１４の上方および第２作動面４３の上方に配置され、第２作動面４３を超えて前面から前方に延びる。フック部４４は、第３作動面４５を備え、第３作動面４５は、第４当接面２２に対面し、第４当接面２２の前に配置される。なお、選択される実施形態によっては、フック部４４を省略することもできる。さらに、鼻部４０も省略することができる。
【００２６】
第２作動手段３８は、第１作動手段３７と対称の設計であり、スリット形の第１凹部４６が、作動要素３３内の第１作動手段３７と第２作動手段３８との間に形成される。第１凹部は、中心面２８に対して中心対称に配置され、さらに、第１凹部４６と平行に配置される第２スリット形凹部４７が、前方壁部２６内に設けられる。さらに、後方壁部２７はまた、第３凹部４８も備え、第３凹部４８もまた、スリット形であり、中心面２８内で第１凹部および第２凹部と平行に配置される。
【００２７】
図４は、ハウジングカバーの壁部５０が示される、図３の図の正面図を示す。ハウジングカバーは、リレーを覆うために保護手段として設けられ、ハウジング基部１上に配置される。わかりやすくするために、ハウジングカバーの一部である壁部５０のみを示す。壁部５０は、箱形のハウジングカバーから延び、第１コンタクトばね２と第２コンタクトばね３との間で、第１凹部４６、第２凹部４７、および第３凹部４８内へと内向きに突出する。壁部５０は、好ましくは、長方形パネルの形をとり、ハウジングカバーと同様、電気絶縁材料、特にプラスチック材料で作製される。壁部５０は、絶縁壁部に相当し、第１コンタクトばね２と第２コンタクトばね３を互いにより良好に電気的に絶縁する。第１凹部４６は、アーマチュアによる作動要素３３の動作が、壁部５０によって妨げられないような構成である。
【００２８】
図５は、図３の図に２つの常時閉コンクタトキャリア５１、５２をさらに設けた図を示す。図５では、第１常時閉コンクタトキャリア５１が電磁コイル２４と第１コンタクトばね２との間に配置され、第２常時閉コンクタトキャリア５２が電磁コイル２４と第２コンタクトばね３との間に配置されている。常時閉コンクタトキャリア５１、５２は、第１コンタクトばね２および第２コンタクトばね３の静止位置において座部として働く。第１閉コンクタトキャリア５１および第２常時閉コンクタトキャリア５２は、後方壁部２７と電磁コイル２４との間に配置される。さらに、第１常時開コンクタトキャリア５３および第２常時開コンクタトキャリア５４が設けられる。第１の常時開コンクタトキャリア５３および第２の常時開コンクタトキャリア５４は、前方壁部２６の前に配置され、ハウジング基部１に連結される。第１常時開コンクタトキャリア５３および第２の常時開コンクタトキャリア５４はそれぞれ、さらなるコンクタトリベット５５を備える。さらなるコンクタトリベット５５はそれぞれ、第１コンタクトばね２または第２コンタクトばね３のコンクタトリベット１０に対面する。
【００２９】
図５は、第１コンタクトばね２および第２コンタクトばね３が休止位置に位置し、それぞれの常時閉コンクタトキャリア５１、５２に接触して着座する位置を示す。第１常時開コンクタトキャリア５３および第２の常時開コンクタトキャリア５４は、ピンの形でハウジング基部１の下面から突出する第３電気端子５６および第４電気端子５７に、導電可能に接続される。
【００３０】
関連する電流がリレー２３を通して流れると、第１コンタクトばね２および第２コンタクトばね３は、第１作動アーム３９の第１作動面４１および第２作動アーム４２の第２作動面４３がそれぞれ第１ばねアームの第１当接面および第２ばねアーム１４の第２当接面１５に接触して着座することにより、第１コンタクトばね２および第２コンタクトばね３のコンクタトリベット１０と常時開コンクタトキャリア５３、５４のそれぞれのコンクタトリベット５５との間に電気的接続が確立するまで、コンタクト領域９とともに常時開コンクタトキャリア５３、５４の方向に屈曲する。
【００３１】
リレー２３へと流れる電流が中断されると、アーマチュアのプリテンションによりアーマチュアが休止位置に戻り、アーマチュアはさらに、作動要素３３を休止位置へと引き戻す。作動要素３３が引き戻されると、第２作動アーム４２のフック部４４の第３作動面４５がラグ２１の第４当接面２２に係合し、たとえば第１コンタクトばね２および第２コンタクトばね３がそれぞれ割り当てられた常時開コンクタトキャリア５３、５４にしっかり張り付いている場合、第１コンタクトばね２および第２コンタクトばね３を休止位置に能動的に引き戻す。このようにして、第１コンタクトばね２および／または第２コンタクトばね３の結合した電気コンクタトリベット１０は、フック部４４を用いて関連する常時開コンタクトから機械的に分離させることができる。さらに、屈曲したばねコンタクト２、３は、休止位置へとばねにより戻る。
【００３２】
２つのコンタクトばね２、３が設けられるので、たとえば１つのコンタクトばね２のみが、常時開コンタクトと結合することもできる。プリテンションによって、他方のコンタクトばね３は休止位置へとばねにより戻り、それにより当接面が第１作動アームの作動面に接触して着座することによって、アーマチュアに加えて作動要素３３を休止位置の方向にさらに動かす。このようにして、結合したコンタクトばね２を分離するための分離力が高まる。
【００３３】
図６は、図のさらなる斜視図を示し、フック部４４の形状および第２作動面４３を有する第２作動アーム４２の形状を、より明確に見ることができる。
【００３４】
図示されないアーマチュアは、好ましくは、休止位置においてばね手段によりプリテンションがかけられる。関連する電流がリレー２３を流れると、電磁コイル２４のヨークおよびコアと相互作用するアーマチュアは、動作位置へと動かされる。その間にアーマチュアもまた、作動要素３３を動作位置へと、前方向すなわち常時開コンクタトキャリア５３、５４の方向に動かす。電流の流れが中断されると、アーマチュアがばねのプリテンションによって休止位置へと枢動して戻され、作動要素３３もまた、アーマチュアにより休止位置に戻される。作動要素３３は、キャリアとも呼ばれるスライダである。常時閉コンクタトキャリア５１、５２および常時開コンクタトキャリア５３、５４は、固定されたコンタクトばねの形をとる。電気端子４、５、５６、５７はピンの形をとり、内側でリレーをプリント回路基板上へと接続し、プリント回路基板との電気的接触をもたらす。
【００３５】
リレーを、２対の可動コンタクトばね、常時閉コンクタトキャリア、および常時開コンクタトキャリアを有するものとして説明してきた。ただし、選択される実施形態によっては、１つのコンタクトばね、１つの常時閉コンクタトキャリアおよび１つの常時開コンクタトキャリアのみ、または複数のコンタクトばね、常時閉コンクタトキャリア、および常時開コンクタトキャリアを設けることもできる。
【図１】
0005885295.tif 000002
【図２】
0005885295.tif 000003
【図３】
0005885295.tif 000004
【図４】
0005885295.tif 000005
【図５】
0005885295.tif 000006
【図６】
0005885295.tif 000007